(57)【要約】      （修正有）【課題】迅速に精度の高い測定を可とする偏心測定器を提供する。【解決手段】この偏心測定器は、測定台座１０上にＴ形溝が設けられて、工作物を挟持するための左右二つのセンタシート２０が取り付けられ、該センタシートのＴ形溝に対応する部分には固定装置３０が設けられ、Ｔ形ブロックを利用してセンタシートが測定台座のＴ形溝中に固定されて、スピーディー且つ正確にセンタシートを固定できる。さらに、測定台座の一側にスライドレールが設けられてスライドブロック４０が取付けられ、スライドブロックに測定装置５０と位置決め装置が設けられている。測定時には、測定装置はスライドブロックのスライドレール上での往復スライドと、位置決め装置による測定装置の位置決めにより、スピーディーに且つ正確に工作物直径、同軸度及び偏心量の測定作業を行える。【選択図】図１
0003161883.tif 000002
【実用新案登録請求の範囲】
【請求項１】
偏心測定器において、測定台座上にＴ形溝が設けられて、該Ｔ形溝に工作物を挟持するための左右二つのセンタシートが取り付けられ、該センタシートのＴ形溝に対応する部分には固定装置が設けられ、該固定装置はＴ形ブロック、作動部材、弾性部材、レバー、ボルトを包含し、該Ｔ形ブロックの上端は該作動部材の下端に枢設され、該作動部材の上端に該弾性部材が設けられ、該弾性部材の弾力を利用して該Ｔ形ブロックが下向きに付勢され、該Ｔ形ブロックが該Ｔ形溝との固定関係を離脱し、該作動部材の中間に作動溝が設けられ、該レバーの一端が該作動溝中に進入し、該レバーの別端に該ボルトが設けられ、該ボルトのねじ込みにより該レバーが制圧されて、これにより該作動部材が上に起こされると共に該圧縮部材が圧縮され、該Ｔ形ブロックがＴ形溝中に固定され、Ｔ形ブロックにより該センタシートが該測定台座のＴ形溝中に固定されることを特徴とする偏心測定器。
【請求項２】
請求項１記載の偏心測定器において、該センタシートのセンタにブシュが設けられたことを特徴とする偏心測定器。
【請求項３】
請求項２記載の偏心測定器において、該センタの後方に弾性部材が設けられて該センタが付勢されて工作物を固定し、該センタの後方底部に凹溝が設けられ、レバーの一端が該凹溝中に進入し、該レバーの別端が回されて、レバーが後ろ向きにセンタを回して、工作物との固定関係を離脱させると共に、圧縮部材を圧縮することを特徴とする偏心測定器。
【請求項４】
偏心測定器において、測定台座の両側に工作物の挟持固定に供される左右二つのセンタシートが設けられ、該測定台座の一側にスライドレールが設けられて、該スライドレールにスライドブロックが取り付けられ、該スライドブロックに測定装置と位置決め装置が設けられ、該測定装置が該スライドブロックの該スライドレール上での往復スライドと、位置決め装置による測定装置の位置決めにより、工作物直径、同軸度及び偏心量測定に用いられることを特徴とする偏心測定器。
【請求項５】
請求項４記載の偏心測定器において、該スライドレールは線形スライドレールとされることを特徴とする偏心測定器。
【請求項６】
請求項４記載の偏心測定器において、該位置決め装置は、該測定台座の線形スライドレールの底面に対応するように設けられた軟質固定パッドと、スライドブロックの外側に設けられた固定板、該固定板の底面の該軟質固定パッドに対応する部分に設けられた位置決めビーズ、該位置決めビーズの下方に設けられた偏心軸、該偏心軸の該位置決めビーズに対応する部分に設けられた偏心部、該偏心軸の外端に設けられた回転輪を包含し、該回転輪が回されると、偏心軸の偏心部が駆動され上向きに該位置決めビーズを押し上げて該軟質固定パッドに固定されることを特徴とする偏心測定器。
【請求項７】
請求項４記載の偏心測定器において、該スライドレールにＴ形溝が設けられてＴ形スライドブロックが挿通され、該Ｔ形スライドブロックに直立ロッドが設けられ、該直立ロッドの上方に測定装置が取付けられ、位置決め装置は該直立ロッドの下方に設けられたネジ山にナットが組み合わされてなり、該ナットが締めつけられる時に、該直立ロッドのＴ形スライドブロックがスライドレールのＴ形溝中に固定されることを特徴とする偏心測定器。
【考案の詳細な説明】
【技術分野】
【０００１】
本考案は偏心測定器に係り、特に工作物直径、同軸度及び偏心量測定に応用されるものに関する。
【背景技術】
【０００２】
伝統的な、従来の工作物直径、同軸度及び偏心量測定器は、図１０に示されるようであり、これは周知の偏心測定器の局部断面組合せ表示図である。それは、測定台座６０にＴ形溝６１が設けられ、左右の二つのセンタシート７０が取付けられ、センタシート７０の底部の、該Ｔ形溝６１に対応する一側に、Ｔ形ブロック７１が設けられている。該Ｔ形ブロック７１はハンドル７２で上に引き上げられてＴ形溝６１中に緊迫固定され、センタシート７０のセンタ７３にラチェット歯７４が設けられ、スクリュー７５に噛み合い伝動し、スクリュー７５はハンドル７６により駆動され、これによりセンタ７３の伸出或いは縮入の動作が制御される。
【考案の概要】
【考案が解決しようとする課題】
【０００３】
上述の伝統的な周知の測定器は、実際の操作応用時に、少なくとも以下のような克服し解決しなければならない問題と欠点を有している。
一．センタシート７０は一辺のみ測定台座６０のＴ形溝６１に固定され、センタシート７０のぐらつきが発生しやすく、固定効果が不良で、このことが直接中心挟持と測定時の精度に影響を与える。
二．測定台座６０にスライドレールと位置決め装置が設置されていないため、工作物直径、同軸度及び偏心量測定を測定する時、スピーディー且つ正確に往復移動及び位置決めできず、このことが直接に測定時の精度に影響を与える。
三．センタシート７０のセンタ７３にブシュによる保護が設けられていないため、センタ７３の伸出と縮入の過程で掻き傷や摩損が発生しやすく、工作物の挟持と測定の精密度に影響が生じ得る。またセンタ７３は工作物の挟持と取り外し時に、続けてハンドル７６を回さねばならず、操作上、比較的面倒で不便である。
四．測定器が工作物直径、同軸度及び偏心量測定を行う時、測定台座６０を固定できず、ぐらつきにより測定時の誤差を発生しやすく、このことが直接に測定時の精度に影響を与え得る。
【課題を解決するための手段】
【０００４】
本考案は一種の偏心測定器を提供し、それは、測定台座上にＴ形溝が設けられて、該Ｔ形溝に工作物を挟持するための左右二つのセンタシートが取り付けられ、該センタシートのＴ形溝に対応する部分には固定装置が設けられ、該固定装置はＴ形ブロック、作動部材、弾性部材、レバー、ボルトを包含し、該Ｔ形ブロックの上端は該作動部材の下端に枢設され、該作動部材の上端に該弾性部材が設けられ、該弾性部材の弾力を利用して該Ｔ形ブロックが下向きに付勢され、該Ｔ形ブロックが該Ｔ形溝との固定関係を離脱し、該作動部材の中間に作動溝が設けられ、該レバーの一端が該作動溝中に進入し、該レバーの別端に該ボルトが設けられ、該ボルトのねじ込みにより該レバーが制圧されて、これにより該作動部材が上に起こされると共に該圧縮部材が圧縮され、該Ｔ形ブロックがＴ形溝中に固定され、Ｔ形ブロックにより該センタシートが該測定台座のＴ形溝中に固定されることを特徴とする。
【０００５】
本考案によると、上述の偏心測定器において、該センタシートのセンタにブシュが設けられる。
【０００６】
本考案によると、上述の偏心測定器において、該センタの後方に弾性部材が設けられて該センタが付勢されて工作物を固定し、該センタの後方底部に凹溝が設けられ、レバーの一端が該凹溝中に進入し、該レバーの別端が回されて、レバーが後ろ向きにセンタを回して、工作物との固定関係を離脱させると共に、圧縮部材を圧縮する。
【０００７】
本考案はまた、一種の偏心測定器を提供し、それは、測定台座の両側に工作物の挟持固定に供される左右二つのセンタシートが設けられ、該測定台座の一側にスライドレールが設けられて、該スライドレールにスライドブロックが取付けられ、該スライドブロックに測定装置と位置決め装置が設けられ、該測定装置が該スライドブロックの該スライドレール上での往復スライドと、位置決め装置による測定装置の位置決めにより、工作物直径、同軸度及び偏心量測定に用いられることを特徴とする。
【０００８】
本考案によると、上述の偏心測定器において、該スライドレールは線形スライドレールとされる。
【０００９】
本考案によると、上述の偏心測定器において、該位置決め装置は、該測定台座の線形スライドレールの底面に対応するように設けられた軟質固定パッドと、スライドブロックの外側に設けられた固定板、該固定板の底面の該軟質固定パッドに対応する部分に設けられた位置決めビーズ、該位置決めビーズの下方に設けられた偏心軸、該偏心軸の該位置決めビーズに対応する部分に設けられた偏心部、該偏心軸の外端に設けられた回転輪を包含し、該回転輪が回されると、偏心軸の偏心部が駆動され上向きに該位置決めビーズを押し上げて該軟質固定パッドに固定される。
【００１０】
本考案によると、上述の偏心測定器において、該スライドレールにＴ形溝が設けられてＴ形スライドブロックが挿通され、該Ｔ形スライドブロックに直立ロッドが設けられ、該直立ロッドの上方に測定装置が取付けられ、位置決め装置は該直立ロッドの下方に設けられたネジ山にナットが組み合わされてなり、該ナットが締めつけられる時に、該直立ロッドのＴ形スライドブロックがスライドレールのＴ形溝中に固定される。
【考案の効果】
【００１１】
本考案者は現在関係製品の製造、設計に従事し、長年の実務経験と心得を積み重ね、伝統的な周知の偏心測定器に存在する問題と欠点に対して、積極的に改良を行ない、ここに一つの偏心測定器を完成した。
【００１２】
本考案は一種の偏心測定器を提供し、それは、測定台座上にＴ形溝が設けられて、該Ｔ形溝に工作物を挟持するための左右二つのセンタシートが取り付けられ、該センタシートのＴ形溝に対応する部分には固定装置が設けられ、Ｔ形ブロックを利用してセンタシートが測定台座のＴ形溝中に固定され、Ｔ形ブロックは作動部材に枢設され、作動部材が弾性部材の弾力を受けて該Ｔ形ブロックを下向きに弾いて分離し、Ｔ形溝との固定関係より離脱させられ、該作動部材の中間に作動溝が設けられ、レバーの一端が該作動溝中に進入し、該レバーの別端にボルトが設けられる。使用者は該ボルトをねじ込むだけで該レバーを下向きに制圧でき、テコの原理により、該作動部材を上向きに起こして、該Ｔ形ブロックを該Ｔ形溝中で圧迫固定し、こうしてスピーディー且つ正確に該センタシートの固定作業を完成でき、作用効果を改善できる。
【００１３】
本考案はまた、一種の偏心測定器を提供し、それは、測定台座の一側にスライドレールが設けられて、該スライドレールにスライドブロックが取付けられ、該スライドブロックに測定装置と位置決め装置が設けられる。測定時、測定装置はスライドブロックのスライドレール上での往復スライドと、位置決め装置による測定装置の位置決めにより、スピーディー且つ正確に工作物直径、同軸度及び偏心量測定の作業を行うことができ、作用効果を改善できる。
【００１４】
本考案はさらにまた、一種の偏心測定器を提供し、それは、センタシートのセンタにブシュが設けられ、ブシュによるセンタの保護により、センタの伸出と縮入過程での掻き傷或いは摩損と、それによる工作物挟持と測定の精密度への影響が防止される。また、センタ後方に弾性部材が設けられ、センタを弾性付勢して工作物を固定させるほか、センタ後方の底部には凹溝が設けられてレバーで後方に回して、工作物との固定関係より離脱させることができる。操作上、レバーを下に回すだけで、センタを後方に退出させて工作物の固定関係より離脱させられる。こうしてスピーディー且つ正確に工作物の挟持と中心固定の作業を完成でき、作用効果を改善できる。
【００１５】
本考案はまた、測定台座の線形スライドレールの底面に一本の軟質固定パッドが設けられ、スライドブロックの外側にＬ形固定板が設けられ、該Ｌ形固定板の底面の、該軟質固定パッドに対応する部分に位置決めビーズが設けられ、該位置決めビーズの下方に偏心軸が設けられ、該偏心軸の該位置決めビーズに対応する部分に偏心部が設けられ、該偏心軸の外端に回転輪が設けられている。操作上、回転輪を回すだけで、偏心軸の偏心部を駆動して上向きに該位置決めビーズを押し上げて該軟質固定パッドに固定することができ、スピーディー且つ正確に測定装置の固定作業を行うことができ、作用効果を改善できる。
【図面の簡単な説明】
【００１６】
【図１】本考案の立体組合せ図である。
【図２】本考案の立体分解図である。
【図３】本考案のセンタシートと固定装置の立体分解図である。
【図４】本考案のスライドブロックと測定装置の立体分解図である。
【図５】本考案の別の実施例の立体分解図である。
【図６】本考案の別の実施例の使用状態表示図である。
【図７】本考案のセンタシート固定状態表示図である。
【図８】本考案のセンタ退出状態表示図である。
【図９】本考案のスライドブロック固定状態表示図である。
【図１０】周知の技術の局部断面組合せ表示図である。
【考案を実施するための形態】
【００１７】
当業者が本考案の装置の内容及びその達成する作用効果について深く理解できるように、以下に具体的実施例を挙げ、並びに図面を組み合わせて詳細に説明を行う。
【００１８】
本考案は一種の偏心測定器を提供する。図１、２は本考案立体組合せ図及び立体分解図である。図３は本考案のセンタシートと固定装置３０の立体分解図である。及び図４は本考案のスライドブロックと測定装置の立体分解図である。
【００１９】
本考案は、測定台座１０にＴ形溝１１が設けられて、該Ｔ形溝１１に工作物を挟持するための左右二つのセンタシート２０が取り付けられる。該センタシート２０のＴ形溝１１に対応する部分には固定装置３０が設けられる。該固定装置３０は、Ｔ形ブロック３１、作動部材３２、弾性部材３３、レバー３４、ボルト３５を包含し、Ｔ形ブロック３１を利用してセンタシート２０を測定台座１０のＴ形溝１１中に固定する。該Ｔ形ブロック３１は作動部材３２の下端に枢設され、該作動部材３２の上端に、該弾性部材３３が設けられている。該弾性部材３３の弾力を利用して、該Ｔ形ブロック３１が下向きに弾き離されて、該Ｔ形ブロック３１がＴ形溝１１との固定関係より離脱させられる。該作動部材３２中間に作動溝３６が開設され、該レバー３４の一端は該作動溝３６中に進入し、該レバー３４の別端にはボルト３５が設けられている。
【００２０】
センタシート２０のセンタ２１にはブシュ２２が設けられ、該ブシュ２２によりセンタ２１が保護されて、センタ２１の掻き傷或いは摩損と、それによる測定精度への影響が防止される。センタ２１の後方には弾性部材２３が設けられ、弾性部材２３によりセンタ２１が付勢されて工作物を固定し、センタ２１の後方底部には凹溝２４が設けられ、レバー２５で後ろ向きに回して、これにより工作物との固定関係を離脱させることができる。
【００２１】
測定台座１０の一側には線形スライドレール１２が設けられ、該線形スライドレール１２にスライドブロック４０が取り付けられ、スライドブロック４０には測定装置５０が設けられて、工作物直径、同軸度及び偏心量測定に使用される。スライドブロック４０の外側に位置決め装置が設けられて、該位置決め装置は測定装置５０を位置決めする。該位置決め装置は、測定台座１０の線形スライドレール１２の底面に対応するように設けられた１本の軟質固定パッド１３、該Ｌ形固定板４１の底面の、該軟質固定パッド１３に対応する部分に設けられた位置決めビーズ４２、位置決めビーズ４２の下方に設けられた偏心軸４３を包含し、偏心軸４３の位置決めビーズ４２に対応する部分に偏心部４４が設けられ、偏心軸４３の外端に回転輪４５が設けられている。
【００２２】
図５は本考案の別の実施例の立体分解図、図６はその使用状態表示図である。これらの図に示されるように、この実施例において、測定台座１０の一側にはスライドレール１４が設けられ、スライドレール１４にはＴ形溝１５が設けられて、Ｔ形スライドブロック１６が挿通され、Ｔ形スライドブロック１６の上方に直立ロッド１７が設けられ、該直立ロッド１７が測定装置５０の取付けに供されて、工作物直径、同軸度及び偏心量測定の測定に用いられる。Ｔ形スライドブロック１６に位置決め装置が設けられて、該測定装置５０が位置決めされる。該位置決め装置は、直立ロッド１７の下方に設けられたネジ山１８とそれに螺合されるナット１９を包含し、ナット１９が締められる時、直立ロッド１７のＴ形スライドブロック１６がスライドレール１４のＴ形溝１５中に固定される。反対に、ナット１９が緩められる時、直立ロッド１７のＴ形スライドブロック１６はスライドレール１４のＴ形溝１５中を往復スライド自在となる。
【００２３】
上述の各装置が組み合わされて本考案が構成され、それは、一種の偏心測定器を提供し、その実際の操作応用は以下のとおりである。
【００２４】
図７は、本考案のセンタシートの固定状態表示図である。使用者がボルト３５をねじ込むと、下向きにレバー３４が制圧され、テコの原理により、該作動部材３２が上向きに起こされ、これと同時に弾性部材３３が圧縮され、該Ｔ形ブロック３１が該Ｔ形溝１１中で圧迫固定され、こうしてスピーディー且つ正確に該センタシート２０の固定作業を完成できる。
【００２５】
図８は本考案のセンタ退出状態表示図である。使用者がレバー２５を下に回せば、センタ２１を回して後ろ向きに工作物との固定関係を離脱させられる。手を離した後、弾性部材２３はセンタ２１を弾き工作物を固定させる。
【００２６】
図９は本考案のスライドブロック固定状態表示図である。使用者は回転輪４５を回すだけで、偏心軸４３を回すことができ、偏心軸４３の偏心部４４により上向きに位置決めビーズ４２を押圧して軟質固定パッド１３に固定することができ、こうしてスピーディー且つ正確に測定装置５０の固定作業を行える。
【００２７】
以上を総合すると、本考案は一種の偏心測定器を提供し、本考案者が実際に製造完成し、反復して操作試験を行った後、確実に本考案の予期された機能と作用効果を達成することが実証され、また現在市場になくまた公開されていない新規な考案であり、産業上の利用価値を有し、実用新案登録の実用性と進歩性の成立要件に符合し、ゆえにここに実用新案登録出願を行う次第です。
【符号の説明】
【００２８】
１０  測定台座                １１  Ｔ形溝
１２  線形スライドレール      １３  軟質固定パッド
１４  スライドレール          １５  Ｔ形溝
１６  Ｔ形スライドブロック    １７  直立ロッド
１８  ネジ山                  １９  ナット
２０  センタシート            ２１  センタ
２２  ブシュ                  ２３  弾性部材
２４  凹溝                    ２５  レバー
３０  固定装置                ３１  Ｔ形ブロック
３２  作動部材                ３３  弾性部材
３４  レバー                  ３５  ボルト
３６  作動溝
４０  スライドブロック        ４１  Ｌ形固定板
４２  位置決めビーズ          ４３  偏心軸
４４  偏心部                  ４５  回転輪
５０  測定装置
６０  測定台座                ６１  Ｔ形溝
７０  センタシート            ７１  Ｔ形ブロック
７２  ハンドル                ７３  センタ
７４  ラチェット歯            ７５  スクリュー
７６  ハンドル
【図１】
0003161883.tif 000003
【図２】
0003161883.tif 000004
【図３】
0003161883.tif 000005
【図４】
0003161883.tif 000006
【図５】
0003161883.tif 000007
【図６】
0003161883.tif 000008
【図７】
0003161883.tif 000009
【図８】
0003161883.tif 000010
【図９】
0003161883.tif 000011
【図１０】
0003161883.tif 000012